(57)【要約】【課題】      ベルト体の長さが長短の長さに容易に調整出来るバックルを提供することである。【解決手段】  バックルＡは、表バックル体１と裏バックル体２に連結部材３の両端を夫々回動自在に支持して構成され、バックルＡが取り付けられるベルトは真田紐のように合成樹脂繊維を織り込んだベルト体４が用いられ、ベルト体４の一方の折り返した外側にバックルＡの裏バックル体２と連結部材３が取り付けられると共に折り返したベルト体４の端部４ａは調整環体５の一辺５ａに取り付けられている。  表バックル体１と連結部材３の間に挿通されたベルト体４の他の端部４ｂの突出長さが長い時は、裏バックル体２の位置調整や調整環体５の位置調整でおこなう。【選択図】        図３
2007185152.tif 000002
【特許請求の範囲】
【請求項１】
表バックル体と裏バックル体に連結部材の両端を夫々回動自在に支持し、前記連結部材と前記表バックル体及び前記裏バックル体の何れか一方に夫々ベルト体に係合する突部を設けたことを特徴とするバックル。
【発明の詳細な説明】
【技術分野】
【０００１】
本発明は、腰に巻回するベルトに取り付けるバックルに関する。
【背景技術】
【０００２】
従来から例えば特許文献１の公報のように、ベルト体にびくや引舟のような魚入れ容器のロ−プを移動自在に保持しておく案内紐を設けた釣用ベルトが紹介されている。
このような釣用ベルトは着用する人の体型や釣場の状況に応じた服の状態で胴回りが異なるために長さ調節が可能になっている。
上記公報でベルト体はベルト両端部の一方の止め具にベルトを挿通して折り返し、この折り返し長さを変えることで長さを調節し、折り返した端側は横長の四角形の周辺フレ−ムの中央を上下方向に横切って架設された中央のフレ−ムを有する調整環体にベルト体に沿って挿通して保持される。
従ってベルト体の長さ調整が大変面倒であった。
又、バックルをベルト体に取り付けた一般公知のベルトでは、バックルに設けた鰐口のような係止具にベルト体の一端を係止し、ベルト体の他端はバックルに挿通している。
このベルトで長さが長い時はバックルから長く突出することになり、調整する時は、ベルト体の一端を切断して調整し、長さが短くて長くしたい時は対応出来ない欠点がある。
【特許文献１】特許第３３８０６９９号公報
【発明の開示】
【発明が解決しようとする課題】
【０００３】
解決しようとする問題点は、特許文献１のベルトでは長さ調整が大変面倒であり、バックルをベルト体に取り付けたベルトでは長短の長さに調整出来ないことである。
【０００４】
本発明の目的は前記欠点に鑑み、ベルト体の長さが長短の長さに容易に調整出来るバックルを提供することである。
【課題を解決するための手段】
【０００５】
本発明の請求項１は、表バックル体と裏バックル体に連結部材の両端を夫々回動自在に支持し、前記連結部材と前記表バックル体及び前記裏バックル体の何れか一方に夫々ベルト体に係合する突部を設けたことを要旨とするものである。
【発明の効果】
【０００６】
本発明により、バックルは表バックル体と裏バックル体に連結部材で構成されてベルト体の長さが長短の長さに極めて容易に調整出来る。
【発明を実施するための最良の形態】
【０００７】
バックルＡは、表バックル体１と裏バックル体２に連結部材３の両端を夫々回動自在に支持して構成されている。
バックルＡが取り付けられるベルトは真田紐のように合成樹脂繊維を織り込んだベルト体４が用いられ、ベルト体４の一方の折り返した外側にバックルＡの裏バックル体２と連結部材３が取り付けられると共に折り返したベルト体４の端部４ａは横長の四角形の周辺フレ−ムの中央を上下方向に横切って架設された中央のフレ−ムを有する調整環体５の一辺５ａに取り付けられている。
表バックル体１と連結部材３の間に挿通されたベルト体４の他の端部４ｂの突出長さが長い時は、裏バックル体２の位置調整や調整環体５の位置調整でおこなう。
【実施例１】
【０００８】
以下、図示の一実施例によって本発明を説明すると、図１はベルト体の一側にバックルが取り付けられてベルト体の他側とバックルが開かれた斜視図、図２はバックルとベルト体の他側が閉じられた斜視図、図３はバックルの組み立て状態の断面平面図、図４は表バックルの正面図、図５は表バックルの平面図、図６は表バックルの裏面図、図７は裏バックルの（ａ）は正面図で（ｂ）は平面図で（ｃ）は裏面図、図８は連結部材の（ａ）は正面図で（ｂ）は平面図で（ｃ）は他の側面図、図９は保持部材の（ａ）は側面図で（ｂ）は平面図で（ｃ）は他の側面図である。
【０００９】
バックルＡは、表バックル体１と裏バックル体２に連結部材３の両端を夫々回動自在に支持して構成されている。
バックルＡが取り付けられるベルトは真田紐のように合成樹脂繊維を織り込んだベルト体４が用いられ、ベルト体４の一方の折り返した外側にバックルＡの裏バックル体２と連結部材３が取り付けられると共に折り返したベルト体４の端部４ａは横長の四角形の周辺フレ−ムの中央を上下方向に横切って架設された中央のフレ−ムを有する調整環体５の一辺５ａに取り付けられている。
【００１０】
表バックル体１は四角形の板１ａの裏面上下に突出部１ｂ、１ｃと四角形の板１ａとベルト体４の厚さより広い間隔αをおいて渡り板１ｄが一体に形成されている。
突出部１ｂ、１ｃには透孔１ｅが穿設されている。
四角形の板１ａの内側には幾分湾曲した面１ｆ、１ｇが形成されている。
２つの面１ｆ、１ｇの交わる位置付近に小さな複数の突起１ｈが上下方向に形成されている。
裏バックル体２は細長い板２ａの上下に突出部２ｂ、２ｃが形成され、突出部２ｂ、２ｃには透孔２ｄが穿設されている。
板２ａの内側には小さな複数の突起２ｅが上下方向に形成されている。
連結部材３は細長い長方形の板３ａの上下左右にピン軸３ｂ、３ｃ、３ｄ、３ｅが形成され、長方形の板３ａの長手方向の両端に夫々外向きの突堤３ｆ、３ｇが形成されて突堤３ｆ、３ｇに夫々歯形３ｈ、３ｉが形成されて突部βが構成されている。
表バックル体１及び裏バックル体２に夫々ベルト体４に係合する突部を設けてもよい。
【００１１】
バックルＡが組み合わされる時は図３のように、表バックル体１の透孔１ｅに連結部材３のピン軸３ｂ、３ｄが回動自在に挿入される。
裏バックル体２の透孔２ｄに連結部材３のピン軸３ｃ、３ｅが回動自在に挿入される。
ベルト体４の一方の折り返した外側にバックルＡが取り付けられる時、図１、図３のようにベルト体４の折り返し部４ｃと調整環体５側の保持部材Ｂの間のベルト体４が裏バックル体２と連結部材３の間に挿通されて突部βの歯形３ｉがベルト体４に押し当てられて係合される。
ベルト体４を身体に装着する時は、ベルト体４の他の端部４ｂが表バックル体１と連結部材３の間に挿通されて突部βの歯形３ｈがベルト体４に押し当てられて係合される。
ベルト体４の折り返しを内側にしてベルト体４の端部４ａは調整環体５の中央のフレ−ムに取り付け、折り返した外側にバックルＡを取り付けてもよい。
【００１２】
表バックル体１と連結部材３の間に挿通されたベルト体４の他の端部４ｂの突出長さが長い時は、裏バックル体２の位置調整や調整環体５の位置調整でおこなう。
即ち、折り返し部４ｃを設けた状態でベルト体４の全体の長さを調整する時は、調整環体５をベルト体４に沿って移動することで折り返し部４ｃと調整環体５の間の長さが調整されてベルト体４の全体の長さが調整される。
更にバックルＡの裏バックル体２の折り返し部４ｃの外側の取付位置を変更することで表バックル体１と連結部材３の間に挿通されたベルト体４の他の端部４ｂの突出長さを調整することができる。
【００１３】
ベルト体４にびくや引舟のような魚入れ容器１０のロ−プ１１を移動自在に保持しておく案内紐６が取り付けられるときは、バックルＡと調整環体５の間のベルト体４に保持部材Ｂが取り付けられている。
ベルト体４の他の端部４ｂ側には保持部材Ｂが取り付けられている。
保持部材Ｂはベルト体４に取り付けられる枠体７と枠体７に回動自在に取り付けられる取付部８で構成されて枠体７の内面と取付部８の突部８ａとの間にベルト体４が挟み込まれている。
二つの保持部材Ｂの一方の取付部８には連結布１２を介して案内紐６の一端が固定され、案内紐６の他端に止め具９が取り付けられている。
他方の取付部８には連結布１２を介して止め具９′が取り付けられている。
案内紐６には環１３とロ−プ１１を介してビクやおとりを入れる引き舟などの魚入れ容器１０が取り付けられている。
【００１４】
枠体７は上下に鈎部７ａ、７ｂが突出形成され、鈎部７ａ、７ｂに夫々透孔７ｃが穿設されている。
取付部８は長方形の基部８ｂの上下にピン軸８ｃ、８ｃが形成され、基部８ｂに直角方向にベルト体４に係合する複数の大きな突部８ａが形成され、基部８ｂの延長部８ｄに連結布１０が取り付けられている。
図９（ａ）では取付部８に複数の大きな突部８ａが形成され、枠体７の内側に複数の小さな突部７ｄが形成されている。
大きな突部は枠体７の内側に形成してもよい。
枠体７の透孔７ｃに取付部８のピン軸８ｃ、８ｃが回動自在に挿入されている。
ベルト体４に保持部材Ｂは、枠体７の内面と取付部８の突部８ａでベルト体４の両面を挟み込むようにして取り付けられている。
【００１５】
案内紐６はベルト体４に二つの保持部材Ｂで夫々取り付けられており、保持部材Ｂは、枠体７の内面と取付部８の突部８ａでベルト体４の両面を挟み込むようにして取り付けられている。
ベルト体４の長さが調整された後や案内紐６に適度の緩みを持たせた状態にする時は、保持部材Ｂの取付部８を枠体７に対して回動することで突部８ａをベルト体４から外して枠体７を移動しておこなう。
【００１６】
前記のようにバックルＡが構成されると、このバックルＡによってベルト体４の長さが長短の長さに極めて容易に調整出来る。
【産業上の利用可能性】
【００１７】
本発明はベルトのバックルとして全般に利用できる。
【図面の簡単な説明】
【００１８】
【図１】ベルト体の一側にバックルが取り付けられてベルト体の他側とバックルが開かれた斜視図である。
【図２】バックルとベルト体の他側が閉じられた斜視図である。
【図３】バックルの組み立て状態の断面平面図である。
【図４】表バックルの正面図である。
【図５】表バックルの平面図である。
【図６】表バックルの裏面図である。
【図７】裏バックルの（ａ）は正面図で（ｂ）は平面図で（ｃ）は裏面図である。
【図８】連結部材の（ａ）は正面図で（ｂ）は平面図で（ｃ）は他の側面図である。
【図９】保持部材の（ａ）は側面図で（ｂ）は平面図で（ｃ）は他の側面図である。
【符号の説明】
【００１９】
Ａ  バックル
１  表バックル体
２  裏バックル体
３  連結部材
４  ベルト体
β  突部
【図１】
2007185152.tif 000003
【図２】
2007185152.tif 000004
【図３】
2007185152.tif 000005
【図４】
2007185152.tif 000006
【図５】
2007185152.tif 000007
【図６】
2007185152.tif 000008
【図７】
2007185152.tif 000009
【図８】
2007185152.tif 000010
【図９】
2007185152.tif 000011